(57)【特許請求の範囲】
【請求項１】
それぞれ、設定されているパラメータに従って、外部から音信号を受け取り、処理して出力する、複数のポートと、
それぞれ、供給される音信号に対し、特性調整処理を施して出力する複数のチャンネルと、
ユーザのパッチ操作に応じて、前記複数の各チャンネルに前記複数のポートのいずれか１のポートを接続し、そのチャンネルにその接続したポートの音信号を供給するパッチと、
ユーザのパッチ操作により、１のチャンネルに接続するポートが、前記複数のポートのうちの第１ポートから第２ポートに変更されたとき、該変更前に該１のチャンネルに接続されていた第１ポートに設定されているパラメータを、該変更で該１のチャンネルに接続された第２ポートに適用するパラメータ適用手段と
を備えたことを特徴とするデジタルミキサ。
【請求項２】
請求項１に記載のデジタルミキサにおいて、
前記パラメータ適用手段は、前記１のチャンネルに接続するポートが前記第１ポートから前記第２ポートに変更されたとき、当該第２ポートが前記１のチャンネル以外の何れのチャンネルとも接続されていなければ、無条件に、前記第１ポートに設定されているパラメータの第２ポートへの適用を実行し、当該第２ポートが既に前記１のチャンネル以外の何れかのチャンネルに接続されていたときには、まず、ユーザにパラメータの適用の可否を問い合わせ、ユーザから適用可の応答を受け取ったことを条件に、前記第１ポートに設定されているパラメータの第２ポートへの適用を実行する
ことを特徴とするデジタルミキサ。
【請求項３】
請求項１または２に記載のデジタルミキサにおいて、
ユーザの有効化操作に応じて、前記パラメータ適用手段を有効化する有効化手段を備え、
前記パラメータ適用手段は、該有効化手段により有効化されている場合に、前記第１ポートに設定されているパラメータの第２ポートへの適用を行い、有効化されていない場合は、前記パラメータの適用を行わない
ことを特徴とするデジタルミキサ。
【請求項４】
それぞれ、設定されているパラメータに従って、外部から受け取った音信号を処理して出力する複数のポートのいずれか１のポートと、供給される音信号に対し特性調整処理を施すチャンネルとの接続を設定するパッチ設定方法であって、
ユーザのパッチ操作により、前記チャンネルに接続するポートを他のポートに変更するステップと、
前記変更に応じて、前記変更前のポートに設定されているパラメータを前記他のポートに適用するステップと
を備えたことを特徴とするパッチ設定方法。
【発明の詳細な説明】
【技術分野】
【０００１】
この発明は、入力ポートから音信号を入力し、ミキシング等の処理を施して出力するデジタルミキサおよびデジタルミキサのパッチ設定方法に関する。
【背景技術】
【０００２】
従来より、複数の入力ポートから入力した複数系列の音信号に対し、デジタル信号処理によって効果付与やミキシング等の処理を施して出力するデジタルミキサが知られている（例えば、特許文献１，２等）。これらのデジタルミキサは、アナログ音響信号を入力しデジタル音響信号に変換する等の処理を行う複数の入力ポートと、デジタル音響信号に対し効果付与やレベル制御等の処理を施す複数の入力チャンネル（ｃｈ）とを備えるとともに、各入力ｃｈに所望の入力ポートを接続する入力パッチを備える。ユーザは、例えばボーカルのマイクを１番の入力ポートに対応する入力端子に挿し込み、入力パッチで１番の入力ポートと第１ｃｈとを接続するように設定する。これにより、前記マイクで入力したボーカルの音信号に対して第１ｃｈで種々の信号処理を施し適宜ミキシングして出力する、といった処理を行うことができる。
【０００３】
上記の各入力ポートには、それぞれ、その入力ポートの動作を制御するパラメータがユーザにより設定される。入力ポートに設定されたパラメータは当該入力ポートに対応して保持され、以後、その入力ポートは、それらのパラメータに従って動作する。それらのパラメータは、デジタルミキサの中央処理装置（ＣＰＵ）からの指示に従って書き替えることができる。
【先行技術文献】
【特許文献】
【０００４】
【特許文献１】特許第４６４３４７号
【特許文献２】特開２０１１-２９８９９号
【発明の概要】
【発明が解決しようとする課題】
【０００５】
上述したように、各入力ポートは、その入力ポートにどのｃｈが接続されているかにかかわらず、動作時点で設定されているパラメータに従って動作する。従って、ある入力ｃｈの入力パッチを変更し、第１の入力ポートから第２の入力ポートに接続先を変更した場合、新たに接続された第２の入力ポートは、その時点で設定されていたパラメータをそのまま使用して動作することになる。
【０００６】
ところで、マイクなどの音信号供給源を接続する先の入力ポートは変更されることも少なくない。例えば、リハーサルのときは第１の入力ポートにマイクを挿して設定を確認したが、本番のときその第１の入力ポートに不具合があった、あるいは、複数のバンドが出演するフェスティバル用途などで、リハーサルのときは第１の入力ポートを使用したが、本番のとき第１の入力ポートには前のバンドのマイクが挿さったままになっていた、などのケースである。このような場合、空いている入力ポートを新たに使うことになるが、その新たな入力ポートに設定されているパラメータは当該ポートに対応して元々設定されていたものであるため、前回リハーサルで使っていた第１の入力ポートに設定したのと同じパラメータを新たな入力ポートに対して設定し直すという作業をしなければならない場合があった。
【０００７】
本発明は、前回の設定時のパッチ（例えばマイクと入力ポートとの接続状態）から変更があった場合でも、新たに接続されたポートの設定のし直し作業を行うことなく、前回の設定時に接続していた入力ポートの設定を適用できるようにした、デジタルミキサおよびデジタルミキサのパッチ設定方法を提供することを目的とする。
【課題を解決するための手段】
【０００８】
上記目的を達成するため、本発明は、あるｃｈのパッチを変更したとき、それまでそのｃｈに接続されていたポートのパラメータの値を、新たに接続されるポートのパラメータに上書きして、そのｃｈのために設定されたポートのパラメータを引き継げるようにしたものである。
【０００９】
すなわち請求項１の発明に係るデジタルミキサは、それぞれ、設定されているパラメータに従って、外部から音信号を受け取り、処理して出力する、複数のポートと、それぞれ、供給される音信号に対し、特性調整処理を施して出力する複数のチャンネルと、ユーザのパッチ操作に応じて、前記複数の各チャンネルに前記複数のポートのいずれか１のポートを接続し、そのチャンネルにその接続したポートの音信号を供給するパッチと、ユーザのパッチ操作により、１のチャンネルに接続するポートが、前記複数のポートのうちの第１ポートから第２ポートに変更されたとき、該変更前に該１のチャンネルに接続されていた第１ポートに設定されているパラメータを、該変更で該１のチャンネルに接続された第２ポートに適用するパラメータ適用手段とを備えたことを特徴とする。
【００１０】
請求項２に係る発明は、請求項１に記載のデジタルミキサにおいて、前記パラメータ適用手段は、前記１のチャンネルに接続するポートが前記第１ポートから前記第２ポートに変更されたとき、当該第２ポートが前記１のチャンネル以外の何れのチャンネルとも接続されていなければ、無条件に、前記第１ポートに設定されているパラメータの第２ポートへの適用を実行し、当該第２ポートが既に前記１のチャンネル以外の何れかのチャンネルに接続されていたときには、まず、ユーザにパラメータの適用の可否を問い合わせ、ユーザから適用可の応答を受け取ったことを条件に、前記第１ポートに設定されているパラメータの第２ポートへの適用を実行することを特徴とする
【００１１】
請求項３に係る発明は、請求項１または２に記載のデジタルミキサにおいて、ユーザの有効化操作に応じて、前記パラメータ適用手段を有効化する有効化手段を備え、前記パラメータ適用手段は、該有効化手段により有効化されている場合に、前記第１ポートに設定されているパラメータの第２ポートへの適用を行い、有効化されていない場合は、前記パラメータの適用を行わないことを特徴とする。
【００１２】
請求項４に係る発明は、それぞれ、設定されているパラメータに従って、外部から受け取った音信号を処理して出力する複数のポートのいずれか１のポートと、供給される音信号に対し特性調整処理を施すチャンネルとの接続を設定するパッチ設定方法であって、ユーザのパッチ操作により、前記チャンネルに接続するポートを他のポートに変更するステップと、前記変更に応じて、前記変更前のポートに設定されているパラメータを前記他のポートに適用するステップとを備えたことを特徴とする。
【発明の効果】
【００１３】
本発明によれば、あるｃｈのパッチを変更したとき、それまで接続されていたポートのパラメータの値を、新たに接続されるポートのパラメータに適用（例えばコピーや上書き）して、そのｃｈのために設定されていたポートのパラメータを引き継げるようにしているので、新たに接続されるポートに対して設定のし直しを行う必要がなくなる。また、ある１つのポートが第１のチャンネルに接続されている状態で、さらに第２のチャンネルのパッチ変更操作により当該第２のチャンネルと前記１つのポートとの接続が追加された場合は、前記１つのポートの既存の設定を生かすか、あるいは前記パッチ変更操作前に第２のチャンネルに接続されていたポートの設定を前記１つのポートに適用するかをユーザが選択できるので、１つのポートから複数のチャンネルに並行して信号を出力するケースでも当該ポートの設定が容易となる。さらに、ポートのパラメータの適用を有効化するか否かを有効化手段により設定できるので、ｃｈにポートの設定が紐付くような処理が不要であれば、該機能を無効化することができる。
【図面の簡単な説明】
【００１４】
【図１】この発明を適用した一実施形態であるデジタルミキサのハードウェア構成図
【図２】実施形態のミキサにおけるミキシング処理の機能構成を示すブロック図
【図３】実施形態のミキサにおけるアナログ入力ポートの詳細な構成図
【図４】カレントメモリ上のデータのメモリマップを示す図
【図５】入力パッチ設定画面を示す図
【図６】パッチ変更操作があったときの処理を示すフローチャート
【図７】パッチの変更例を示す図
【発明を実施するための形態】
【００１５】
以下、図面を用いて本発明の実施の形態を説明する。
【００１６】
図１は、この発明の実施の形態であるデジタルミキサ１００のハードウェア構成を示すブロック図である。ＣＰＵ１０１は、このミキサ全体の動作を制御する処理装置である。メモリ１０２は、ＣＰＵ１０１が実行する各種のプログラムや各種のデータなどを格納した記憶装置であり、ＲＡＭ、ＲＯＭ、フラッシュメモリ、ハードディスクなどを適宜組み合わせ構成することができる。メモリ１０２のＲＡＭ乃至フラッシュメモリには、カレントメモリという名称の領域が設けられており、ＣＰＵ１０１は、その領域に記憶された各種データに基づいて、当該ミキサの各種動作を制御する。表示器１０３は、このミキサの操作パネル上に設けられた各種の情報を表示するためのディスプレイである。操作子１０４は、このミキサの操作パネル上に設けられたユーザが操作するための各種の操作子（電動フェーダ、ロータリーエンコーダ、スイッチ、ボタン等）である。信号処理部１０５は、例えばＤＳＰであり、ＣＰＵ１０１の指示に基づいて各種の信号処理プログラムを実行することにより、波形Ｉ／Ｏ１０６経由で入力した音響信号のミキシング処理、効果付与処理、及び音量レベル制御処理などを行い、処理後の音響信号を波形Ｉ／Ｏ１０６経由で出力する。バス１１０は、これら各部を接続するバスラインであり、コントロールバス、データバス、およびアドレスバスを総称したものである。なお、本明細書に記載されている「信号」は、特段の説明がない限り（制御信号であると説明されていない限り）、音響信号（オーディオ信号）をあらわすものである。
【００１７】
図２は、図１のミキサにより実現するミキシング処理の機能構成を示すブロック図である。２０１はマイクなどの信号供給源から入力したアナログ音響信号をデジタル音響信号に変換して出力する複数のアナログ入力ポートを示す。各入力ポートは、それぞれ、ＣＰＵ１０１によりカレントメモリに設定されたポートデータに基づいて、外部から入力したアナログ音響信号を受け取りデジタル音響信号に変換して入力パッチ２０３に供給する。入力パッチ２０３は、ＣＰＵ１０１によりカレントメモリに設定されたパッチデータに応じて、複数の各入力ｃｈ２０４に対して、何れか１の入力ポートからの信号を供給する。複数の入力ｃｈ２０４は、それぞれ、ＣＰＵ１０１によりカレントメモリに設定された入力ｃｈデータに基づいて、供給された信号に対する振幅特性や周波数特性などの特性調整処理を行う。複数の各入力ｃｈ２０４から出力された信号はＭＩＸ部２０５で混合され、その混合信号が、アナログ出力ポート２０６によりアナログ音響信号に変換され外部に出力される。
【００１８】
なお、入力ポート２０１および出力ポート２０６は図１の波形Ｉ／Ｏ１０６及びその波形Ｉ／Ｏ１０６を制御するＣＰＵ１０１により実現する。その他の部分２０３〜２０５は、所定の信号処理プログラムを実行する信号処理部１０５及びその信号処理部１０５を制御するＣＰＵ１０１により実現する。該信号処理プログラムも、ＣＰＵ１０１が信号処理部１０５に設定したものである。
【００１９】
図３は、複数のアナログ入力ポート２０１のうちの１つのポートの詳細な構成を示す。図３は複数のポートのうちのｊ番目のポートを示し、以下、ｊ番目のポートを入力ポートｊと呼ぶ。上述したポートデータは各ポート毎に用意されているパラメータであり、入力ポートｊは、そのうちのｊ番目のポートデータ（ポートデータ（ｊ）と呼ぶ）に基づいて動作する。図３の各構成要素の下に、その構成要素を制御するパラメータの記号を図示した。それぞれポートデータ（ｊ）中のパラメータであるので、各パラメータの記号には（ｊ）を付してある。
【００２０】
３０１は該入力ポートに接続されるマイクなどの信号供給源に電源を供給するためのファンタム電源であり、ＰＥ（ｊ）は該ファンタム電源のオン／オフを指定するパラメータである。３０２はアナログ音響信号をアナログデジタル変換（ＡＤ変換）に適したレベルになるようにゲイン調整するヘッドアンプ、３０３は該ヘッドアンプ３０２のゲイン調整器であり、ＡＧ（ｊ）は当該ゲイン値を示すパラメータである。３０４はＡＤ変換器である。３０５は入力した信号の直流分を取り除くためのハイパスフィルタ（ＨＰＦ）であり、ＨＰＦ（ｊ）は該ＨＰＦ３０５のオン／オフを指定するパラメータである。
【００２１】
図示しないが、図２の複数の入力ｃｈ２０４のそれぞれは、例えば、信号の周波数特性を制御するイコライザ、信号のゲインを動的に変化して、ダイナミックレンジを圧縮するコンプレッサ、および、一定のゲインで信号レベルを調整するレベル制御部などの構成要素を備えている。複数の入力ｃｈ２０４のうちのｉ番目のｃｈを入力ｃｈ＿ｉと呼ぶ。上述した入力ｃｈデータは各入力ｃｈ毎に用意されており、入力ｃｈ＿ｉは、そのうちのｉ番目の入力ｃｈデータ（ｃｈデータ（ｉ）と呼ぶ）に基づいて動作する。上述した入力ｃｈ＿ｉの各構成要素は、それぞれ、ｃｈデータ（ｉ）に含まれるパラメータに応じて動作する。
【００２２】
以上、アナログ入力ポートと入力ｃｈについて説明したが、図２のそれ以外のブロックも同様に、それぞれ、カレントメモリに記憶された各種データに従って動作する。言い換えると、ＣＰＵ１０１は、常時、カレントメモリの各種データを、表示器１０３、信号処理部１０５、波形Ｉ／Ｏ１０６等の動作に反映する処理を実行している。従って、ユーザの操作に応じて、カレントメモリ上の各種データの値を設定乃至変更することにより、ミキサ１００の各部の動作が制御できるように構成されている。
【００２３】
図４（ａ）は、カレントメモリ中のポートデータのメモリマップであり、Ｎｐ個のアナログ入力ポートに対応するＮｐ個のポートデータ（１）〜ボートデータ（Ｎｐ）が格納されている。図４（ｂ）は、カレントメモリ中のｃｈデータのメモリマップであり、Ｎｃ個の入力ｃｈに対応するＮｃ個のｃｈデータ（１）〜ｃｈデータ（Ｎｃ）が格納されている。図４（ｃ）は、カレントメモリ中の入力パッチデータであり、Ｎｃ個の入力ｃｈに対応するＮｃ個のデータＰＳ（１）〜（Ｎｃ）が格納されている。各入力ｃｈ＿ｉに対応する入力パッチデータＰＳ（ｉ）は、その入力ｃｈ＿ｉに接続された（パッチされた）入力ポートの番号を格納する。
【００２４】
図５は、図４（ｃ）の入力パッチデータを設定するための入力パッチ設定画面の一例を示す。ユーザが、操作パネル上で所定の操作を行うと、ＣＰＵ１０１は、表示器１０３に図５の画面を表示させ、入力パッチの設定を行える状態になる。ｃｈ指定部５０１は設定対象ｃｈの指定を受け付ける領域であり、ユーザが右側の上下の三角印をポインティングデバイスでクリック操作することにより、ＣＰＵ１０１は、入力パッチの設定を行う入力ｃｈを変更するとともにその表示を更新する。図ではｃｈ５が指定されている。
【００２５】
選択ボタン５０２は、領域５０１で指定したｃｈの接続先（パッチ先）のポートを択一的に選択するボタン群である。各ボタンには、そのボタンのオンによりポート番号ｊ（＝１〜Ｎｐ）のポートが選択されることを示す「Ｐｊ」の文字が表示される。図では「Ｐ７」ボタンがオンされており、入力ｃｈ５には入力ポート７がパッチされていることが分かる。入力ｃｈの側から見ると、１つの入力ｃｈには１つの入力ポートのみがパッチされるので、ボタン群５０２で選択される入力ポートは必ず１つである。入力ポート側から見ると、１つの入力ポートから複数の入力ｃｈに信号を出力することは可能である。なお、ここではポートに対応するボタンを８つ表示した例を示したが、ポートのボタンの数は任意である。他のボタン等の操作に応じて画面に表示するポートを切り替えるようにしてもよい。また、各ポートをボタンで表示する態様に限らず、プルダウンリスト等他の態様で表示乃至選択させてもよい。
【００２６】
ユーザが「Ｐｊ」ボタンをオンする操作が、「ユーザのパッチ操作」に相当し、ＣＰＵ１０１は、その操作に応じて、後述する図６の処理を実行する。
【００２７】
モード選択部５０３は、パッチ変更があった場合の動作を規定するモードであるキャリー・フロム・ポート（Carry from Port）またはステイ・ウィズ・チャンネル（Stay with Channel）を選択するボタンを備えている。これら２つのモードは択一的に選択されるものであり、ＣＰＵ１０１は、一方のボタンのオン操作に応じて、現在のモードを示すフラグＳＷＣを設定するとともに、その操作されたボタンをオン表示し、他方のボタンをオフ表示する。フラグＳＷＣは、「キャリー・フロム・ポート」がオン操作されたとき、現モードがキャリー・フロム・ポートであることを示す「０」に設定され、「ステイ・ウィズ・チャンネル」ボタンがオン操作されたとき、現モードがステイ・ウィズ・チャンネルであることを示す「１」に設定される。図では「ステイ・ウィズ・チャンネル」ボタンがオンされている。「キャリー・フロム・ポート」ボタンがオンの状態（ＳＷＣ＝０）で、あるｃｈのパッチ変更があったときには、新たにパッチ先とされた入力ポートのポートデータは変更されない。「ステイ・ウィズ・チャンネル」ボタンがオンの状態（ＳＷＣ＝１）で、あるｃｈのパッチ変更があったときには、そのパッチ変更前に当該ｃｈにパッチされていたポートのポートデータの値が、パッチ変更後のパッチ先のポートのポートデータに上書き（コピー）される。本実施形態では、モード選択部５０３によるモードの選択は全ｃｈに対して適用されるものとした。なお、前記ｃｈに対して共通にこのモード設定を行うのが好ましいが、各ｃｈ毎にモード設定を行うようにしてもよい。
【００２８】
モード選択部５０３に対するユーザ操作に応じてＳＷＣフラグを設定するＣＰＵ１０１の処理が「有効化手段」に相当し、ＳＷＣ＝１の状態が「有効化されている場合」、ＳＷＣ＝０の状態が「有効化されていない場合」に相当する。
【００２９】
図６は、図５の入力パッチ設定画面により入力ｃｈ＿ｉのパッチ変更操作があったときのＣＰＵ１０１の処理を示す。ここでは、入力ｃｈ＿ｉに対して新たなパッチ先の入力ポートとして入力ポートｊ（ｊ番目のアナログ入力ポート）が選択されたとする。
【００３０】
ステップ６０１で、入力ｃｈ＿ｉの現在のパッチ先ＰＳ（ｉ）の値をワークレジスタＰＳｏに待避し、新たなパッチ先のポート番号ｊをＰＳ（ｉ）に設定する。これにより、図示しないＣＰＵ１０１のバックグラウンド処理において、カレントメモリの変更されたＰＳ（ｉ）の値に基づいて入力パッチ２０３（実体は信号処理部１０５乃至波形Ｉ／Ｏ１０６）の制御が行われ、新たなパッチ先のアナログ入力ポートｊの信号が入力ｃｈ＿ｉに供給されるようになる。次に、ステップ６０２で、フラグＳＷＣの値が１か否か判定する。ステップ６０２でＳＷＣ＝０なら、現在のモードはキャリー・フロム・ポートなので、アナログ入力ポートｊのポートデータの書き替えは行わず、続くステップ６０３で、選択ボタン５０２中で「Ｐｊ」ボタンだけがオンとなるよう画面表示を更新する。
【００３１】
ステップ６０２でＳＷＣ＝１なら、現在のモードはステイ・ウィズ・チャンネルなので、ステップ６０４で、新たなパッチ先として指定されたアナログ入力ポートｊに他の入力ｃｈが接続されていないかをチェックする。具体的には、図４（ｃ）のＰＳ（１）〜ＰＳ（Ｎｃ）の範囲で、先ほど設定したＰＳ（ｉ）以外に、値がポート番号ｊである入力パッチデータが無いかサーチする。接続されていない場合（当該データが無い場合）は、ステップ６０５で、当該入力ｃｈに関するパッチ変更前のアナログ入力ポートのポートデータ（ＰＳｏ）の値を、パッチ変更後の新たな接続先のアナログ入力ポートｊのポートデータ（ｊ）にコピーする。その後、ステップ６０３に進む。新たなパッチ先として指定されたアナログ入力ポートｊに他の入力ｃｈが接続されていた場合（当該データが有る場合）は、ステップ６０４から６０６に進み、当該新たなパッチ先のアナログ入力ポートｊのポートデータ（ｊ）の値を変更して良いかどうかをユーザに確認する確認画面（図示略）を表示する。ユーザが変更して良いと応答した場合（ステップ６０７：YES）は、ステップ６０７から６０５に進み、ポートデータ（ＰＳｏ）の値をポートデータ（ｊ）にコピーし、続くステップ６０３で、「Ｐｊ」ボタンだけがオンとなるよう画面表示を更新するとともに、もし、表示器１０３乃至操作子１０４にポートデータ（ｊ）の値が表示されていれば、その表示をコピー後の値に更新する。ユーザが変更を許可しないと応答した場合（ステップ６０７：NO）は、ポートデータ（ｊ）の書き替えを行うことなく、ステップ６０７から６０３に進み、「Ｐｊ」ボタンだけがオンとなるよう画面表示を更新する。
【００３２】
ＣＰＵ１０１は、ステップ６０１の処理を実行することにより、各チャンネルに何れか１のポートを接続するパッチとして機能する。ＣＰＵ１０１は、ステップ６０４乃至ステップ６０７の処理を実行することにより、第１ポートに設定されているポートデータのパラメータを、第２ポートのパラメータとして適用するパラメータ適用手段として機能する。
【００３３】
図７は、本実施形態のミキサにおけるパッチの変更例を３つ示す。最初の例（矢印７１１）は、キャリー・フロム・ポートのモードにおいて、ユーザにより入力ｃｈ＿１（図中のＣＨ１）のパッチ先を入力ポート１（同Ｐ１）から入力ポート２（同Ｐ２）に変更する操作が為され、それに応じて、入力ｃｈ＿１が入力ポート１に接続された状態７０１から、入力ｃｈ＿１が入力ポートＰ２に接続された状態７２１に変化した例である。この場合、入力ポート２のポートデータ（２）は変更されず、変更後の状態７２１では、入力ポート２は、パッチ変更前と変わらない値のポートデータ（２）に基づいて外部から受け取った音響信号のゲイン調整等を行い、入力パッチ２０３は、その信号を入力ｃｈ＿１に供給する。
【００３４】
第２の例（矢印７１２）は、ステイ・ウィズ・チャンネルのモードにおいて、ユーザにより入力ｃｈ＿１のパッチ先を入力ポート１から入力ポート２に変更する操作が為され、それに応じて、入力ｃｈ＿１が入力ポート１に接続された状態７０１から、入力ｃｈ＿１が入力ポート２に接続された状態７２２に変化した例である。この場合、新たなパッチ先である入力ポート２には、他の何れの入力ｃｈも接続されていないので、変更後の状態７２２では、パッチ変更前のパッチ先の入力ポート１のポートデータ（１）の値が、パッチ変更後の新たなパッチ先の入力ポート２のポートデータ（２）にコピーされている。すなわち、入力ポート２は、ポートデータ（１）と同じ値のポートデータ（２）に基づいて外部から受け取った音響信号のゲイン調整等を行い、入力パッチ２０３は、その信号を入力ｃｈ＿１に供給する。
【００３５】
第３の例（矢印７１３）は、ステイ・ウィズ・チャンネルのモードにおいて、ユーザにより入力ｃｈ＿１のパッチ先を入力ポート１から入力ポート３に変更する操作が為され、それに応じて、入力ｃｈ＿１が入力ポート１に接続された状態７０１から、入力ｃｈ＿１が入力ポート３に接続された状態７２３に変化した例である。この場合、新たなパッチ先であるポートＰ３は既に他の入力ｃｈ＿２にパッチされているので、矢印７１３の変化の過程で図６のステップ６０６が実行され、上述した確認画面が表示される。ここでユーザがポートデータ（３）の値の変更を許可した場合、状態７２３では、入力ポート１のポートデータ（１）の値が新たなパッチ先である入力ポート３のポートデータ（３）にコピーされている。これにより、入力ポート３は、ポートデータ（１）と同じ値のポートデータ（３）に基づいて外部から受け取った音響信号のゲイン調整等を行い、入力パッチ２０３は、その信号を入力ｃｈ＿１と入力ｃｈ＿２とに供給する。一方、ユーザがポートデータ（３）の値の変更を許可しなかった場合は、ポートデータ（３）は上書きされず、入力ポート３は、パッチ変更前と同じ値のポートデータ（３）に基づいて外部から受け取った音響信号のゲイン調整等を行い、入力パッチ２０３は、その信号を入力ｃｈ＿１と入力ｃｈ＿２とに供給する。
【００３６】
上記実施形態のミキサでは、例えば、本番で、ある入力ｃｈに対してリハーサルのときとは異なる入力ポートを接続する場合に、ステイ・ウィズ・チャンネルを選択してそのパッチの変更操作を行うことにより、リハーサルのとき使っていた入力ポートの設定が、新たにパッチされた入力ポートにコピーされるので、入力ポートの設定のし直し作業を行う必要がなくなり、ユーザの利便性が向上する。
【００３７】
なお、デジタルミキサには、カレントメモリの各種の設定をプリセット（シーンと呼ぶ場合もある）として複数セーブしておき、何れか１のプリセットを選択してカレントメモリにリコールすることで装置内の各種の設定を一括して再現するプリセット機能を備えたものがある。そして、このプリセットには、図４（ｃ）のパッチデータを含めることができパッチデータを含むプリセットをリコールすると、入力パッチの設定が変更される。この場合に関しては、現在のモードがステイ・ウィズ・チャンネルかキャリー・フロム・ポートかにかかわりなく、上述したような入力ポート間のパッチデータのコピーは行わないようにしてもよい。これは、本発明のポートデータのコピー機能が、使用する入力ポートの偶発的な変更に対応することを目的としており、その変更は予めプリセットできないからである。なお、プリセットには、図４（ａ）のポートデータを含めることもできるが、ポートデータの値が含まれるプリセットのリコールでは、そのプリセットに含まれるポートデータの値が各ポートのポートデータに上書きされる。
【００３８】
上記実施形態では、カレントメモリ上に図４（ａ）に示すように各入力ポートのポートデータを格納する領域を確保し、ステイ・ウィズ・チャンネルがオンでパッチ変更があったときは、該カレントメモリ上でポートデータの値をコピーしていたが、ポートデータの実体は別領域に持っておき、カレントメモリ上にはポートデータを指すリンク情報のみを格納するようにしてもよい。この場合、ポートデータのコピーは、リンク情報の書き替えだけで済むが、コピー元乃至コピー先の何れか一方のポートデータの値を変更するときに、ポートデータの値を別領域にコピーして２つの独立したポートデータに戻す必要がある。
【００３９】
上記実施形態では、入力ポートとして、ポートデータのデータ構成が共通のアナログ入力ポート２０１だけを備える構成であったが、さらに、ポートデータのデータ構成が異なる、別の種類のアナログ入力ポート２０１’や、デジタル入力ポート２０２を備えるようにしてもよい。ステップ６０５のコピー処理に於いて、コピー元とコピー先でデータ構成が異なっていれば、コピー処理を全く行わないようにしてもよいし、或いは、一致する部分だけのコピーを行うようにしてもよい。本発明のポートデータのコピー機能は、入力パッチ２０３に実装されていたが、出力チャンネルと出力ポートとを接続する出力パッチに適用することもできる。上記実施形態では、出力ポートとして、アナログ出力ポート２０６だけを備える構成であったが、さらに、デジタル出力ポート２０７を備える構成としてもよい。
【００４０】
上記実施形態は、一体型のデジタルミキサであったが、本発明は、操作パネルを備えたコンソール、信号処理部を備えたエンジン、および、波形Ｉ／Ｏを備えたＩ／Ｏユニットを接続して構成されるミキサシステムに適用してもよい。
【００４１】
上記実施形態は、専用ハードウェア構成のデジタルミキサであったが、その一部機能、ないし全部を、適宜のソフトウェアを実行させたパーソナルコンピュータ（ＰＣ）に置き換えることができる。例えば、信号処理部と波形Ｉ／Ｏとを備えたエンジンをＰＣに接続し、そのＰＣを、そのエンジンを制御するコンソールとして動作させてもよい。或いは、波形Ｉ／Ｏを備えたＩ／ＯユニットをＰＣに接続し、そのＰＣを、コンソール及びエンジンとして動作させてもよい。また、コンソール及びエンジンは仮想マシン上に実現してもよい。パッチ設定画面は、図５に示したタイプに限らず、公知のデジタルミキサで実現されている如何なるタイプのパッチ設定画面であってもよい。代表例としては、複数の供給元と複数の供給先のマトリクスを表示するものがある。そのマトリクス上で、ユーザが、所望の供給元と所望の供給先の交点をオンにする操作を行うことにより、その供給元と供給先との接続が設定され、その供給元からの信号が、その供給先に供給される。
【符号の説明】
【００４２】
１００…デジタルミキサ、１０１…中央処理装置（ＣＰＵ）、１０２…メモリ、１０３…表示器、１０４…操作子、１０５…信号処理部（ＤＳＰ）、１０６…波形Ｉ／Ｏ。
【図１】
0005979497.tif 000002
【図２】
0005979497.tif 000003
【図３】
0005979497.tif 000004
【図４】
0005979497.tif 000005
【図５】
0005979497.tif 000006
【図６】
0005979497.tif 000007
【図７】
0005979497.tif 000008